(57)【要約】      （修正有）【課題】カウルボックス内へ遮水板を設けずともダクトへの水の浸入を防止でき、且つ吸気効率の低減を抑制できるカウルルーバーを提供する。【解決手段】車両のフロントガラスとエンジンフードとの間に配設されて両者の間を塞ぐカウルルーバー１０であって、車室内へ外気を導入するため上下方向に開口する吸気口１１を覆うカバー部１２を備える。カバー部１２は、吸気口１１の一側縁から上方へ立設する側壁部１２ａと、該側壁部１２ａの上端から吸気口１１側へ向けて延在し、吸気口１１の上方を覆う遮水部１２ｂとを有し、側壁部１２ａと対向する吸気口１１の他側縁側の側面には開口１２ｃが設けられている。吸気口１１及びカバー部１２は、カウルルーバー１０の長手方向に複数個並設することが好ましい。【選択図】図１
2015112902.tif 000002
【特許請求の範囲】
【請求項１】
車両のフロントガラスとエンジンフードとの間に配設されて両者の間を塞ぐカウルルーバーであって、
車室内へ外気を導入するため上下方向に開口する吸気口を覆うカバー部を備え、
前記カバー部は、前記吸気口の一側縁から上方へ立設する側壁部と、該側壁部の上端から前記吸気口側へ向けて延在し、前記吸気口の上方を覆う遮水部とを有し、前記側壁部と対向する前記吸気口の他側縁側の側面が開口している、カウルルーバー。
【請求項２】
前記吸気口及びこれを覆う前記カバー部は、カウルルーバーの長手方向に複数個並設されている、請求項１に記載のカウルルーバー。
【発明の詳細な説明】
【技術分野】
【０００１】
本発明は、車両のフロントガラスとエンジンフードとの間に配設されて両者の間を塞ぐカウルルーバーに関する。
【背景技術】
【０００２】
カウルルーバーは、車両のエンジンルームと車室との間に配されるカウルボックスの天面を覆うカバー部材であり、フロントガラスとエンジンルームの天面を覆うエンジンフード（ボンネット）との間に配設されて両者の間を塞いでいる。詳しくは、カウルルーバーの先端縁部はエンジンフードの後端縁部と連接され、カウルルーバーの後端縁部はフロントガラスの下端縁部と連接される。そのうえで、カウルボックス及びカウルルーバーを介して外気（空気）を車室内に取り入れるため、カウルボックスには車室内と連通するダクトが設けられており、カウルルーバーにはダクトと連通する吸気口が設けられている。
【０００３】
ところで、カウルルーバーの吸気口を介して車室内へ外気を吸入する際、雨天時等では外気と共に雨水等も吸気口からカウルボックス内へ浸入してしまう。しかし、カウルボックス内へ浸入した水がダクトへ吸入されと、ダクトの先に配設されたブロアーやエアコン等の機器の故障の原因となってしまう。そこで、特許文献１では、カウルボックス内へ浸入した水がダクトへ浸入することを防止するため、水切り板及び当該水切り板の前縁に配される樋部からなる遮水板を、ダクトの開口と重複するようにカウルボックス内へ設けている。
【先行技術文献】
【特許文献】
【０００４】
【特許文献１】特開２００４−５８７２２号公報
【発明の概要】
【発明が解決しようとする課題】
【０００５】
しかしながら、特許文献１のようにカウルボックス内へダクトの開口と重複するように遮水板を設けると、カウルルーバーの吸気口から吸入された空気は、遮水板の外側を迂回するような径路を辿ってダクトへ至ることになるので、吸気効率が低下（吸気量が損失）してしまう。これを補うためには、吸気用のブロアーによる吸引力を強くすればよいが、これでは消費電力が大きくなり、燃費性能の悪化にも繋がる。
【０００６】
そこで、本発明は上記課題を解決するものであって、カウルボックス内へ遮水板を設けずにダクトへの水の浸入を防止し、以って吸気効率の低減を抑制できるカウルルーバーを提供することを目的とする。
【課題を解決するための手段】
【０００７】
そのための手段として、本発明は車両のフロントガラスとエンジンフードとの間に配設されて両者の間を塞ぐカウルルーバーであって、
車室内へ外気を導入するため上下方向に開口する吸気口を覆うカバー部を備え、
前記カバー部は、前記吸気口の一側縁から上方へ立設する側壁部と、該側壁部の上端から前記吸気口側へ向けて延在し、前記吸気口の上方を覆う遮水部とを有し、前記側壁部と対向する前記吸気口の他側縁側の側面が開口している、カウルルーバー。
【０００８】
前記吸気口及びこれを覆う前記カバー部は、カウルルーバーの長手方向に複数個並設することが好ましい。
【発明の効果】
【０００９】
本発明では、カウルルーバーの吸気口を覆うカバー部を設け、当該カバー部は吸気口を上方から覆う遮水部を有する。これによれば、雨水等が吸気口から直接カウルボックス内へ浸入することはなく、一旦遮水部へ衝突してから側面の開口を介して吸気口へ流れ込むことになる。これにより、カウルボックス内へ浸入（滴下）した水がカウルボックスの底面に衝突する勢いが弱まり、当該カウルボックスの底面における水の跳ね返りも少なくなる。これにより、カウルボックス内へ遮水板を設けずとも、滴下した水がダクトへ吸入されることを防止できる。
【００１０】
そのうえ、カウルボックス内へ遮水板を設ける必要が無いため、吸気口から吸気された空気は直線的な流路を辿って最短距離でダクトへ流入できるので、吸気効率の低下（吸入空気量の損失）も避けることができる。したがって、吸気用ブロアーの出力を無理に高める必要はなく、消費電力を抑えて燃費性能の低下も避けることができる。
【図面の簡単な説明】
【００１１】
【図１】カウルルーバーの平面図である。
【図２】図１のII−II線断面図である。
【発明を実施するための形態】
【００１２】
本発明のカウルルーバーは、普通自動車、軽自動車、大型自動車など種々の車両に適用可能なものであって、車両のエンジンルームと車室との間において車両幅方向両端に亘って配されるカウルボックスの上面開口を全面的に覆うカバー部材であり、フロントガラスとエンジンフードとの間を塞いでいる。詳しくは、カウルルーバーの先端縁部はエンジンフードの後端縁部と連接され、カウルルーバーの後端縁部はフロントガラスの下端縁部と連接される。当該カウルルーバーによってワイパーモータ等が覆われ、車外から視認できないようになっている。以下に、適宜図面を参照しながら本発明の代表的な実施形態について説明する
【００１３】
本実施形態のカウルルーバー１０は、一枚板からなるパネル状に形成された合成樹脂製の射出成形品であって、図１に示すように、フロントガラスとエンジンフードとの間を塞ぐ上面１０ａと、該上面１０ａの前端縁から連続する凹部１０ｂとを一体的に備える。
【００１４】
凹部１０ｂには、外気を車室内へ導入する吸気口１１が設けられている。詳しくは、凹部１０ｂの底壁に、該凹部１０ｂの前後両壁に亘る縦長（車両前後方向に長い）の吸気口１１が設けられている。吸気口１１は上下方向に開口しており、カウルルーバー１０の長手方向（車両幅方向）に複数個の設けられている。本実施形態では、カウルルーバー１０の両側方部へ各２箇所ずつ、計４箇所に設けている。
【００１５】
各吸気口１１は、カウルルーバー１０に一体成形されたカバー部１２によって覆われている。当該カバー部１２は、図２にも示すように、吸気口１１の一側縁から上方へ立設する側壁部１２ａと、該側壁部１２ａの上端から吸気口１１側へ向けて延在し、該吸気口１１の上方を全面的に覆う遮水部１２ｂとを有し、側壁部１２ａと対向する吸気口１１の他側縁側の側面には開口１２ｃが開口している。なお、吸気口１１の前後縁は、凹部１０ｂの前後壁によってそれぞれ塞がれている。
【００１６】
本実施形態では、カバー部１２の開口１２ｃは、車両中心部に向けて開口させている。具体的には、カウルルーバー１０の左側方部に設けた２つのカバー部１２では右側面に開口１２ｃを設け、右側方部に設けた２つのカバー部１２では左側面に開口１２ｃを設けている。これにより、カウルボックスの長手方向（車両幅方向）中心部にダクトを設けた場合に、各吸気口１１から吸気された空気がダクトへ効率よく流動でき、吸入空気の損失量をより効果的に低減することができるようになっている。
【００１７】
このような構成のカウルルーバー１０によれば、雨天走行時などにおいて雨水等が吸気口１１から直接カウルボックス内へ浸入することはなく、一旦遮水部１２ｂへ衝突してから側面の開口１２ｃを介して吸気口１１へ流れ込むことになる。これにより、カウルボックス内へ浸入（滴下）した水がカウルボックスの底面に衝突する勢いが弱まり、当該カウルボックスの底面における水の跳ね返りも少なくなる。したがって、カウルボックス内へ遮水板を設けずとも、滴下した水がダクトへ吸入されることを防止できる。なお、カウルボックス内へ浸入した水は、当該カウルボックスの底面等へ設けた排水口から外部へ排出される。
【００１８】
そのうえ、カウルボックス内へ遮水板を設ける必要が無いため、吸気口１１から吸気された空気は直線的な流路を辿って最短距離でダクトへ流入できるので、吸気効率の低下（吸入空気量の損失）も避けることができる。したがって、吸気用ブロアーの出力を無理に高める必要はなく、消費電力を抑えて燃費性能の低下も避けることができる。
【００１９】
以上、本発明の代表的な実施形態について説明したが、本発明はこれに限定されることはなく、本発明の要旨を逸脱しない範囲で、種々の変形が可能である。特に、本発明のポイントである上下方向に開口する吸気口と、これを覆うカバー部とを有する限り、カウルルーバーそのものの形状やその他の構成は、上記実施形態に限られない。また、本発明のカウルルーバーと対となるカウルボックスも、外気（空気）を車室内に取り入れるためのダクトと、カウルボックス内へ浸入した水を外部へ排水する排水口が設けられている、従来から公知の汎用カウルボックスへ適用でき、その具体的形状や細かな構成に特に制限はない。
【００２０】
また、吸気口１１は、必ずしも複数個所設ける必要はなく、１箇所のみに設けることもできる。この場合、空気の流動性の観点からはカウルボックスに設けられたダクトにできるだけ近い位置へ吸気口を設けることが好ましく、ダクトへの水の浸入防止の観点からは敢えてダクトからある程度離れた位置へ吸気口を設けることが好ましい。また、吸気口１１を複数設ける場合も、上記実施形態のように４箇所に設けるのみならず、２〜８箇所程度の範囲で適宜変更できる。
【００２１】
また、カバー部１２の開口１２ｃも、必ずしもダクトへ向けて開口させる必要はなく、敢えてダクトとは反対側の側面へ開口１２ｃを設けることもできる。さらに、吸気口１１は、必ずしも凹部１０ｂの前後壁に亘って設ける必要も無い。
【符号の説明】
【００２２】
１０  カウルルーバー
１０ｂ  凹部
１１  吸気口
１２  カバー部
１２ａ  側壁部
１２ｂ  遮水部
１２ｃ  開口
【図１】
2015112902.tif 000003
【図２】
2015112902.tif 000004